【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
増幅回路と帰還回路を備えて構成される水晶発振回路を備えて構成される水晶発振器で、
前記増幅回路は増幅器と帰還抵抗素子を備えて構成され、前記帰還回路は水晶振動子とコンデンサーとドレイン抵抗素子とを備えて構成され、かつ、前記水晶振動子は屈曲モードで振動する音叉腕と音叉基部を備えて構成される音叉形状の屈曲水晶振動子で、前記音叉腕は上面と下面と側面とを有し、前記音叉形状の音叉腕の上面と下面の少なくとも一面に溝が設けられ、前記溝の側面に電極が配置され、前記溝側面の電極とその電極に対抗する音叉腕側面の電極とが互いに異極となる電極を配置し、
増幅回路と帰還回路を備えて構成される前記水晶発振回路の、増幅回路の基本波モード振動の負性抵抗の絶対値｜−ＲＬ１｜と基本波モード振動の等価直列抵抗Ｒ１との比が、増幅回路の２次高調波モード振動の負性抵抗の絶対値｜−ＲＬ２｜と２次高調波モード振動の等価直列抵抗Ｒ２との比より大きく、
前記屈曲水晶振動子を備えて構成された前記水晶発振回路の出力信号である発振周波数が、３２．７６８ｋＨｚの周波数に対して−１００ＰＰＭ〜＋１００ＰＰＭの範囲内にあることを特徴とする水晶発振器。
【請求項２】
音叉腕に生ずる慣性モーメントが大きくなるように、前記溝の内少なくとも１個の溝幅Ｗ２と音叉腕幅Ｗとの比（Ｗ２／Ｗ）が０．３５より大きく、１より小さく、且つ、前記溝の厚みｔ１と音叉腕の厚みｔとの比（ｔ１／ｔ）が０．７９より小さくなるように溝が形成され、
前記音叉形状の屈曲水晶振動子は表面実装型あるいは円筒型のユニットに収納されていて、前記音叉形状の屈曲水晶振動子の基本波モード振動のフイガーオブメリットＭ１が２次高調波モード振動のフイガーオブメリットＭ２より大きい音叉形状の屈曲水晶振動子を備えて前記水晶発振回路は構成されていることを特徴とする請求項１に記載の水晶発振器。
【請求項３】
音叉腕に設けられた溝は貫通穴（ｔ１＝０）であることを特徴とする請求項２に記載の水晶発振器。
【請求項４】
水晶振動子と増幅器とコンデンサーと抵抗素子とを具えて構成される水晶発振器の製造方法において、
前記水晶振動子は屈曲モードで振動する音叉腕と音叉基部から成る音叉形状の屈曲水晶振動子で、前記音叉腕は上面と下面と側面とを有し、前記音叉形状の音叉腕の上面と下面の少なくとも一面に１個の溝を設ける工程、と
前記溝の側面に電極が配置され、前記溝側面の電極とその電極に対抗する音叉腕側面の電極とが互いに異極となる電極を形成する工程、と
ケースと蓋を備えて構成されるユニットの固定部に前記屈曲水晶振動子を固定する工程、と、
前記屈曲水晶振動子の発振周波数を調整する工程、と
前記音叉形状の屈曲水晶振動子を表面実装型あるいは円筒型のユニットに収納する工程、と
前記増幅器はＣＭＯＳインバータで、前記屈曲水晶振動子と前記ＣＭＯＳインバータとコンデンサーと抵抗素子とを電気的に接続する工程、とを有し、
これらの工程は順次行われることを特徴とする水晶発振器の製造方法。
【請求項５】
音叉形状の屈曲水晶振動子の基本波モード振動の等価直列抵抗Ｒ１が２次高調波モード振動の等価直列抵抗Ｒ２より小さく、かつ、基本波モード振動のフイガーオブメリットＭ１が２次高調波モード振動のフイガーオブメリットＭ２より大きい屈曲水晶振動子を具えて水晶発振器は構成されると共に、
増幅回路と前記音叉形状の屈曲水晶振動子から成る帰還回路とを備えて構成される前記水晶発振器の、増幅回路の基本波モード振動の負性抵抗の絶対値｜−ＲＬ１｜と基本波モード振動の等価直列抵抗Ｒ１との比が、増幅回路の２次高調波モード振動の負性抵抗の絶対値｜−ＲＬ２｜と２次高調波モード振動の等価直列抵抗Ｒ２との比より大きくなるように、前記水晶発振器は構成されていることを特徴とする請求項４に記載の水晶発振器の製造方法。
【手続補正２】
【補正対象書類名】明細書
【補正対象項目名】０００５
【補正方法】変更
【補正の内容】
【０００５】
即ち、本発明の水晶発振器の第１の態様は、増幅回路と帰還回路を備えて構成される水晶発振回路を備えて構成される水晶発振器で、前記増幅回路は増幅器と帰還抵抗素子を備えて構成され、前記帰還回路は水晶振動子とコンデンサーとドレイン抵抗素子とを備えて構成され、かつ、前記水晶振動子は屈曲モードで振動する音叉腕と音叉基部を備えて構成される音叉形状の屈曲水晶振動子で、前記音叉腕は上面と下面と側面とを有し、前記音叉形状の音叉腕の上面と下面の少なくとも一面に溝が設けられ、前記溝の側面に電極が配置され、前記溝側面の電極とその電極に対抗する音叉腕側面の電極とが互いに異極となる電極を配置し、増幅回路と帰還回路を備えて構成される前記水晶発振回路の、増幅回路の基本波モード振動の負性抵抗の絶対値｜−ＲＬ１｜と基本波モード振動の等価直列抵抗Ｒ１との比が、増幅回路の２次高調波モード振動の負性抵抗の絶対値｜−ＲＬ２｜と２次高調波モード振動の等価直列抵抗Ｒ２との比より大きく、前記屈曲水晶振動子を備えて構成された前記水晶発振回路の出力信号である発振周波数が、３２．７６８ｋＨｚの周波数に対して−１００ＰＰＭ〜＋１００ＰＰＭの範囲内にある水晶発振器である。
本発明の水晶発振器の第２の態様は、音叉腕に生ずる慣性モーメントが大きくなるように、前記溝の内少なくとも１個の溝幅Ｗ２と音叉腕幅Ｗとの比（Ｗ２／Ｗ）が０．３５より大きく、１より小さく、且つ、前記溝の厚みｔ１と音叉腕の厚みｔとの比（ｔ１／ｔ）が０．７９より小さくなるように溝が形成され、前記音叉形状の屈曲水晶振動子は表面実装型あるいは円筒型のユニットに収納されていて、前記音叉形状の屈曲水晶振動子の基本波モード振動のフイガーオブメリットＭ１が２次高調波モード振動のフイガーオブメリットＭ２より大きい音叉形状の屈曲水晶振動子を備えて前記水晶発振回路は構成されている第１の態様に記載の水晶発振器である。
本発明の水晶発振器の第３の態様は、音叉腕に設けられた溝は貫通穴（ｔ１＝０）である第２の態様に記載の水晶発振器である。


【手続補正３】
【補正対象書類名】明細書
【補正対象項目名】０００６
【補正方法】変更
【補正の内容】
【０００６】
本発明の水晶発振器の製造方法の第１の態様は、水晶振動子と増幅器とコンデンサーと抵抗素子とを具えて構成される水晶発振器の製造方法において、前記水晶振動子は屈曲モードで振動する音叉腕と音叉基部から成る音叉形状の屈曲水晶振動子で、前記音叉腕は上面と下面と側面とを有し、前記音叉形状の音叉腕の上面と下面の少なくとも一面に１個の溝を設ける工程、と前記溝の側面に電極が配置され、前記溝側面の電極とその電極に対抗する音叉腕側面の電極とが互いに異極となる電極を形成する工程、とケースと蓋を備えて構成されるユニットの固定部に前記屈曲水晶振動子を固定する工程、と前記屈曲水晶振動子の発振周波数を調整する工程、と前記音叉形状の屈曲水晶振動子を表面実装型あるいは円筒型のユニットに収納する工程、と前記増幅器はＣＭＯＳインバータで、前記屈曲水晶振動子と前記ＣＭＯＳインバータとコンデンサーと抵抗素子とを電気的に接続する工程、とを有し、これらの工程は順次行われる水晶発振器の製造方法である。
本発明の水晶発振器の製造方法の第２の態様は、音叉形状の屈曲水晶振動子の基本波モード振動の等価直列抵抗Ｒ１が２次高調波モード振動の等価直列抵抗Ｒ２より小さく、かつ、基本波モード振動のフイガーオブメリットＭ１が２次高調波モード振動のフイガーオブメリットＭ２より大きい屈曲水晶振動子を具えて水晶発振器は構成されると共に、増幅回路と前記音叉形状の屈曲水晶振動子から成る帰還回路とを備えて構成される前記水晶発振器の、増幅回路の基本波モード振動の負性抵抗の絶対値｜−ＲＬ１｜と基本波モード振動の等価直列抵抗Ｒ１との比が、増幅回路の２次高調波モード振動の負性抵抗の絶対値｜−ＲＬ２｜と２次高調波モード振動の等価直列抵抗Ｒ２との比より大きくなるように、前記水晶発振器は構成されている第１の態様に記載の水晶発振器の製造方法である。